(57)【要約】【課題】栄養成分の摂取量が基準値を超えているか否かがわかる健康管理システムの提供。【解決手段】入力される飲食物の種類及び分量を受け付けるステップＳ２１１、Ｓ２１３と、データベース３００に予め格納されている飲食物の種類の例を、複数提示するステップＳ２１０と、提示された複数の飲食物の種類の例から、ユーザーにより選択された飲食物の種類の例についての、データベースに予め格納されている飲食物の分量の例を複数提示するステップＳ２１５と、提示された複数の飲食物の分量の例から、ユーザーにより選択された飲食物の分量の例が含む所定の栄養成分の摂取量を、データベースに飲食物と対応づけて予め格納されている栄養成分毎の量に基づいて、栄養成分毎に演算するステップＳ２２０と、演算結果が栄養成分毎の基準摂取量を超えるか否かを判定するステップＳ２２２と、演算結果と判定結果とを表示するステップＳ２２４とを備えた健康管理方法。【選択図】図２
2016173658.tif 000002
【特許請求の範囲】
【請求項１】
少なくとも飲食物の種類及び分量を含む健康に関する情報を入力する入力部と、所定の情報を表示する表示部と、を備えた健康管理システムであって、
少なくとも、前記飲食物の種類の例を複数と前記飲食物の分量の例を複数と前記複数の飲食物毎に含まれている所定の栄養成分毎の量とを、予め格納したデータベースと、
前記データベースから読み出した前記飲食物の種類の例を、前記表示部に複数提示させ、前記提示された複数の、前記飲食物の種類の例から、被管理者により前記入力部によって選択された前記飲食物の種類の例についての、前記データベースから読み出した前記飲食物の分量の例を、前記表示部に複数提示させる制御部と、
前記表示部に前記提示された複数の、前記飲食物の分量の例から、前記被管理者により前記入力部によって選択された前記飲食物の分量の例が含む前記栄養成分の摂取量を、前記データベースに前記飲食物と対応づけて予め格納されている前記栄養成分毎の量に基づいて、前記栄養成分毎に演算する演算部と、
前記栄養成分毎の基準摂取量を格納する基準摂取量記憶部と、
前記演算部による演算結果が、前記基準摂取量記憶部に格納された前記栄養成分毎の基準摂取量を超えるか否かを判定する判定部と、を備え、
前記表示部は、前記演算部による前記演算結果と、前記判定部による判定結果とを表示する、ことを特徴とする健康管理システム。
【請求項２】
前記演算部は、前記入力部によって選択された前記飲食物の種類が複数のときは、前記選択された複数の飲食物がそれぞれ含む前記栄養成分の摂取量を前記栄養成分毎に合算し、
前記判定部は、前記演算部による合算値が前記栄養成分毎の基準摂取量を超えるか否かを判定する、ことを特徴とする請求項１に記載の健康管理システム。
【請求項３】
前記基準摂取量は一日を基準とした摂取量であり、
前記合算値は一日毎にリセットされる、ことを特徴とする請求項２に記載の健康管理システム。
【請求項４】
前記表示部に提示されている複数の前記飲食物の種類の例から、前記入力部によって選択された前記飲食物の種類が複数の場合、前記制御部は、前記選択された複数の前記飲食物の種類の例のそれぞれについての分量の例を前記表示部に同時に提示させる、ことを特徴とする請求項２に記載の健康管理システム。
【請求項５】
少なくとも一日前の前記栄養成分毎の前記判定結果を格納する判定結果記憶部を備え、
制御部は、次の日に前記表示部に前記飲食物の種類の例を複数提示させる際、前記判定結果記憶部に記録されている前記一日前の前記栄養成分毎の前記判定結果に基づいて、前記飲食物の複数の例に対して、推奨メニュー又は非推奨メニューの区別を表示させる、ことを特徴とする請求項１〜４の何れか一つに記載の健康管理システム。
【請求項６】
前記健康に関する情報には、前記被管理者の性別、年齢、体重を含むパーソナル情報が含まれており、
前記基準摂取量は、前記被管理者の前記パーソナル情報に基づいて決められる、ことを特徴とする請求項１〜５の何れか一つに記載の健康管理システム。
【請求項７】
入力部から入力される、少なくとも飲食物の種類及び分量を含む健康に関する情報を受け付ける入力工程と、
データベースに予め格納されている前記飲食物の種類の例を、表示部に複数提示する第１提示工程と、
前記第１提示工程で前記提示された複数の、前記飲食物の種類の例から、被管理者により前記入力部によって選択された前記飲食物の種類の例についての、前記データベースに予め格納されている前記飲食物の分量の例を、前記表示部に複数提示する第２提示工程と、
前記第２提示工程で前記提示された複数の、前記飲食物の分量の例から、前記被管理者により前記入力部によって選択された前記飲食物の分量の例が含む所定の栄養成分の摂取量を、前記データベースに前記飲食物と対応づけて予め格納されている前記栄養成分毎の量に基づいて、前記栄養成分毎に演算する演算工程と、
前記演算工程での演算結果が、基準摂取量記憶部に格納されている前記栄養成分毎の基準摂取量を超えるか否かを判定する判定工程と、
前記演算工程による前記演算結果と、前記判定工程による判定結果とを前記表示部に表示する表示工程と、を備えたことを特徴とする健康管理方法。
【請求項８】
請求項７に記載の健康管理方法の、入力部から入力される、少なくとも飲食物の種類及び分量を含む健康に関する情報を受け付ける入力工程と、
データベースに予め格納されている前記飲食物の種類の例を、表示部に複数提示する第１提示工程と、
前記第１提示工程で前記提示された複数の、前記飲食物の種類の例から、被管理者により前記入力部によって選択された前記飲食物の種類の例についての、前記データベースに予め格納されている前記飲食物の分量の例を、前記表示部に複数提示する第２提示工程と、
前記第２提示工程で前記提示された複数の、前記飲食物の分量の例から、前記被管理者により前記入力部によって選択された前記飲食物の分量の例が含む所定の栄養成分の摂取量を、前記データベースに前記飲食物と対応づけて予め格納されている前記栄養成分毎の量に基づいて、前記栄養成分毎に演算する演算工程と、
前記演算工程での演算結果が、基準摂取量記憶部に格納されている前記栄養成分毎の基準摂取量を超えるか否かを判定する判定工程と、
前記演算工程による前記演算結果と、前記判定工程による判定結果とを前記表示部に表示する表示工程と、をコンピュータに実行させるプログラム。
【請求項９】
請求項８に記載のプログラムを記録した記録媒体であって、コンピュータにより処理可能な記録媒体。
【発明の詳細な説明】
【技術分野】
【０００１】
本発明は、被管理者の食生活などの健康に関する情報に基づいて、被管理者の健康を管理する健康管理システム、健康管理方法、プログラム、及び記録媒体に関する。
【背景技術】
【０００２】
近年、高血圧症、高脂血症、糖尿病等の生活習慣病の増加が問題となっている。この様な生活習慣病の多くは、偏った食習慣や運動不足等に起因する。
【０００３】
そのため、地域や職場では定期的に健康診断が行われており、そうした健康診断を受診した結果、例えば、高血圧症であると診断された場合、医師は、塩分を控えめにした食生活や適度な運動を行うようにアドバイスする。
【０００４】
また、例えば、一般家庭において、栄養管理を行うことができる料理の献立作成を支援する技術等が提案されている（例えば、特許文献１参照）。
【先行技術文献】
【特許文献】
【０００５】
【特許文献１】特開平８−１６１２８８号公報
【発明の概要】
【発明が解決しようとする課題】
【０００６】
しかしながら、医師による従来のアドバイスは、一般的で且つ抽象的な内容が多く、受診者は、日常の食生活において、実際に摂取した食物に含まれた栄養成分（例えば塩分）の量が基準値を越えているのかどうかを知るすべがないという問題があった。
【０００７】
また、従来の栄養管理が可能な献立支援等に関する技術は、そもそもお奨めの献立を提示する技術であり、当該献立に従って作られた食物以外の食物には適用できない。
【０００８】
本発明は、上記従来の課題に鑑みて、被管理者が摂取した栄養成分の量が基準値を超えているかどうかを具体的に知ることが出来る健康管理システム、健康管理方法、プログラム、及び記録媒体を提供することを目的とする。
【課題を解決するための手段】
【０００９】
第１の本発明は、
少なくとも飲食物の種類及び分量を含む健康に関する情報を入力する入力部と、所定の情報を表示する表示部と、を備えた健康管理システムであって、
少なくとも、前記飲食物の種類の例を複数と前記飲食物の分量の例を複数と前記複数の飲食物毎に含まれている所定の栄養成分毎の量とを、予め格納したデータベースと、
前記データベースから読み出した前記飲食物の種類の例を、前記表示部に複数提示させ、前記提示された複数の、前記飲食物の種類の例から、被管理者により前記入力部によって選択された前記飲食物の種類の例についての、前記データベースから読み出した前記飲食物の分量の例を、前記表示部に複数提示させる制御部と、
前記表示部に前記提示された複数の、前記飲食物の分量の例から、前記被管理者により前記入力部によって選択された前記飲食物の分量の例が含む前記栄養成分の摂取量を、前記データベースに前記飲食物と対応づけて予め格納されている前記栄養成分毎の量に基づいて、前記栄養成分毎に演算する演算部と、
前記栄養成分毎の基準摂取量を格納する基準摂取量記憶部と、
前記演算部による演算結果が、前記基準摂取量記憶部に格納された前記栄養成分毎の基準摂取量を超えるか否かを判定する判定部と、を備え、
前記表示部は、前記演算部による前記演算結果と、前記判定部による判定結果とを表示する、ことを特徴とする健康管理システム。
【００１０】
また、第２の本発明は、
前記演算部は、前記入力部によって選択された前記飲食物の種類が複数のときは、前記選択された複数の飲食物がそれぞれ含む前記栄養成分の摂取量を前記栄養成分毎に合算し、
前記判定部は、前記演算部による合算値が前記栄養成分毎の基準摂取量を超えるか否かを判定する、ことを特徴とする上記第１の本発明の健康管理システムである。
【００１１】
また、第３の本発明は、
前記基準摂取量は一日を基準とした摂取量であり、
前記合算値は一日毎にリセットされる、ことを特徴とする上記第２の本発明の健康管理システムである。
【００１２】
また、第４の本発明は、
前記表示部に提示されている複数の前記飲食物の種類の例から、前記入力部によって選択された前記飲食物の種類が複数の場合、前記制御部は、前記選択された複数の前記飲食物の種類の例のそれぞれについての分量の例を前記表示部に同時に提示させる、ことを特徴とする上記第２の本発明の健康管理システムである。
【００１３】
また、第５の本発明は、
少なくとも一日前の前記栄養成分毎の前記判定結果を格納する判定結果記憶部を備え、
制御部は、次の日に前記表示部に前記飲食物の種類の例を複数提示させる際、前記判定結果記憶部に記録されている前記一日前の前記栄養成分毎の前記判定結果に基づいて、前記飲食物の複数の例に対して、推奨メニュー又は非推奨メニューの区別を表示させる、ことを特徴とする上記第１〜第４の何れか一つの本発明の健康管理システムである。
【００１４】
また、第６の本発明は、
前記健康に関する情報には、前記被管理者の性別、年齢、体重を含むパーソナル情報が含まれており、
前記基準摂取量は、前記被管理者の前記パーソナル情報に基づいて決められる、ことを特徴とする上記第１〜第５の何れか一つの本発明の健康管理システムである。
【００１５】
また、第７の本発明は、
入力部から入力される、少なくとも飲食物の種類及び分量を含む健康に関する情報を受け付ける入力工程と、
データベースに予め格納されている前記飲食物の種類の例を、表示部に複数提示する第１提示工程と、
前記第１提示工程で前記提示された複数の、前記飲食物の種類の例から、被管理者により前記入力部によって選択された前記飲食物の種類の例についての、前記データベースに予め格納されている前記飲食物の分量の例を、前記表示部に複数提示する第２提示工程と、
前記第２提示工程で前記提示された複数の、前記飲食物の分量の例から、前記被管理者により前記入力部によって選択された前記飲食物の分量の例が含む所定の栄養成分の摂取量を、前記データベースに前記飲食物と対応づけて予め格納されている前記栄養成分毎の量に基づいて、前記栄養成分毎に演算する演算工程と、
前記演算工程での演算結果が、基準摂取量記憶部に格納されている前記栄養成分毎の基準摂取量を超えるか否かを判定する判定工程と、
前記演算工程による前記演算結果と、前記判定工程による判定結果とを前記表示部に表示する表示工程と、を備えたことを特徴とする健康管理方法である。
【００１６】
また、第８の本発明は、
上記第７の本発明の健康管理方法の、入力部から入力される、少なくとも飲食物の種類及び分量を含む健康に関する情報を受け付ける入力工程と、
データベースに予め格納されている前記飲食物の種類の例を、表示部に複数提示する第１提示工程と、
前記第１提示工程で前記提示された複数の、前記飲食物の種類の例から、被管理者により前記入力部によって選択された前記飲食物の種類の例についての、前記データベースに予め格納されている前記飲食物の分量の例を、前記表示部に複数提示する第２提示工程と、
前記第２提示工程で前記提示された複数の、前記飲食物の分量の例から、前記被管理者により前記入力部によって選択された前記飲食物の分量の例が含む所定の栄養成分の摂取量を、前記データベースに前記飲食物と対応づけて予め格納されている前記栄養成分毎の量に基づいて、前記栄養成分毎に演算する演算工程と、
前記演算工程での演算結果が、基準摂取量記憶部に格納されている前記栄養成分毎の基準摂取量を超えるか否かを判定する判定工程と、
前記演算工程による前記演算結果と、前記判定工程による判定結果とを前記表示部に表示する表示工程と、をコンピュータに実行させるプログラムである。
【００１７】
また、第９の本発明は、
上記第８の本発明のプログラムを記録した記録媒体であって、コンピュータにより処理可能な記録媒体である。
【発明の効果】
【００１８】
本発明によれば、被管理者が摂取した栄養成分の量が基準値を超えているかどうかを具体的に知ることが出来る健康管理システム、健康管理方法、プログラム、及び記録媒体を提供することが出来る。
【図面の簡単な説明】
【００１９】
【図１】本発明の実施の形態１の健康管理システムの全体の概略構成を示すブロック図
【図２】本実施の形態の健康管理方法の各ステップを示したフローチャート
【図３】（ａ）：本実施の形態の健康管理システムの携帯端末装置のタッチパネルに表示されたログイン・新規登録画面、（ｂ）：同タッチパネル上に表示された新規登録画面を示す図
【図４】（ａ）：本実施の形態の健康管理システムの携帯端末装置のタッチパネルに表示されたプログラムメニューの選択画面、（ｂ）：同タッチパネル上に表示された朝食・昼食・夕食・間食の区別の選択画面を示す図
【図５】（ａ）：本実施の形態の健康管理システムの携帯端末装置のタッチパネルに表示された朝食を取った場所の選択画面、（ｂ）：同タッチパネル上に表示された、朝食での食事メニューの選択画面を示す図
【図６】（ａ）：本実施の形態の健康管理システムの携帯端末装置のタッチパネルに表示された食事メニューの小分類の選択画面、（ｂ）：同タッチパネル上に表示された、ポークカレーの分量の選択画面を示す図
【図７】（ａ）：本実施の形態の健康管理システムの携帯端末装置のタッチパネルに表示された、ポークカレーに使用する可能性のある調味料の種類を提示した調味料の種類の選択画面、（ｂ）：同タッチパネル上に表示された、ポークカレーに使用するソースの分量の選択画面を示す図
【図８】（ａ）：本実施の形態の健康管理システムにおいてユーザーの特定の日の朝食時におけるその日の一日分の主要な栄養成分毎（塩分、炭水化物、脂質、たんぱく質）の摂取量を示す棒グラフと、それら栄養成分毎の「過剰」、「適正」、「不足」の判定結果と、「塩分を多く含んだ食品を過剰摂取しています。」という警告文が表示された栄養バランス（朝食）画面が、携帯端末装置のタッチパネルに表示された状態を示す図、（ｂ）：ユーザーの特定の日の昼食時におけるその日の一日分についての栄養バランス（昼食）画面が、携帯端末装置のタッチパネルに表示された状態を示す図
【図９】（ａ）：本実施の形態の健康管理システムにおいて、ユーザーの特定の日の夕食時におけるその日の一日分の主要な栄養バランス（夕食）画面が、携帯端末装置のタッチパネルに表示された状態を示す図、（ｂ）：ユーザーの特定の日の夕食時におけるその日の一日分の全ての栄養成分と摂取エネルギーを折れ線グラフで示す栄養バランス（一日）画面が、携帯端末装置のタッチパネルに表示された状態を示す図
【図１０】本実施の形態の健康管理システムの変形例であって、昼食時における栄養バランス（昼食のみ）画面が、携帯端末装置のタッチパネルに表示された状態を示す図
【図１１】本実施の形態の健康管理システムの変形例であって、ユーザーの特定の日の夕食時におけるその日の一日分の各種栄養成分と摂取エネルギーを棒グラフで示す栄養バランス（一日）画面が、携帯端末装置のタッチパネルに表示された状態を示す図
【図１２】本実施の形態の健康管理システムの他の例であって、携帯端末装置等のタッチパネル上の表示例を示す図
【図１３】本実施の形態の健康管理システムの他の例であって、携帯端末装置等のタッチパネル上の表示例を示す図
【図１４】本実施の形態の健康管理システムの他の例であって、携帯端末装置等のタッチパネル上の表示例を示す図
【図１５】本実施の形態の健康管理システムの他の例であって、携帯端末装置等のタッチパネル上の表示例を示す図
【図１６】本実施の形態の健康管理システムの他の例であって、携帯端末装置等のタッチパネル上の表示例を示す図
【図１７】本実施の形態の健康管理システムの他の例であって、携帯端末装置等のタッチパネル上の表示例を示す図
【図１８】本実施の形態の健康管理システムの他の例であって、携帯端末装置等のタッチパネル上の表示例を示す図
【図１９】本実施の形態の健康管理システムの他の例であって、携帯端末装置等のタッチパネル上の表示例を示す図
【図２０】本実施の形態の健康管理システムの他の例であって、携帯端末装置等のタッチパネル上の表示例を示す図
【図２１】本実施の形態の健康管理システムの他の例であって、携帯端末装置等のタッチパネル上の表示例を示す図
【図２２】本実施の形態の健康管理システムの他の例であって、携帯端末装置等のタッチパネル上の表示例を示す図
【図２３】本実施の形態の健康管理システムの他の例であって、携帯端末装置等のタッチパネル上の表示例を示す図
【図２４】本実施の形態の健康管理システムの他の例であって、携帯端末装置等のタッチパネル上の表示例を示す図
【図２５】本実施の形態の健康管理システムの他の例であって、携帯端末装置等のタッチパネル上の表示例を示す図
【図２６】本実施の形態の健康管理システムの他の例であって、携帯端末装置等のタッチパネル上の表示例を示す図
【図２７】本実施の形態の健康管理システムの他の例であって、携帯端末装置等のタッチパネル上の表示例を示す図
【図２８】本実施の形態の健康管理システムの他の例であって、携帯端末装置等のタッチパネル上の表示例を示す図
【図２９】本実施の形態の健康管理システムの他の例であって、携帯端末装置等のタッチパネル上の表示例を示す図
【図３０】本実施の形態の健康管理システムの他の例であって、携帯端末装置等のタッチパネル上の表示例を示す図
【図３１】本実施の形態の健康管理システムの他の例であって、携帯端末装置等のタッチパネル上の表示例を示す図
【図３２】本実施の形態の健康管理システムの他の例であって、携帯端末装置等のタッチパネル上の表示例を示す図
【図３３】本実施の形態の健康管理システムの他の例であって、携帯端末装置等のタッチパネル上の表示例を示す図
【図３４】本実施の形態の健康管理システムの他の例であって、携帯端末装置等のタッチパネル上の表示例を示す図
【図３５】本実施の形態の健康管理システムの他の例であって、携帯端末装置等のタッチパネル上の表示例を示す図
【図３６】本実施の形態の健康管理システムの他の例であって、携帯端末装置等のタッチパネル上の表示例を示す図
【図３７】本実施の形態の健康管理システムの他の例であって、携帯端末装置等のタッチパネル上の表示例を示す図
【図３８】本実施の形態の健康管理システムの他の例であって、携帯端末装置等のタッチパネル上の表示例を示す図
【図３９】本実施の形態の健康管理システムの他の例であって、携帯端末装置等のタッチパネル上の表示例を示す図
【図４０】本実施の形態の健康管理システムの他の例であって、携帯端末装置等のタッチパネル上の表示例を示す図
【図４１】本実施の形態の健康管理システムの他の例であって、携帯端末装置等のタッチパネル上の表示例を示す図
【図４２】本実施の形態の健康管理システムの他の例であって、携帯端末装置等のタッチパネル上の表示例を示す図
【図４３】本実施の形態の健康管理システムの他の例であって、携帯端末装置等のタッチパネル上の表示例を示す図
【図４４】本実施の形態の健康管理システムの他の例であって、携帯端末装置等のタッチパネル上の表示例を示す図
【図４５】本実施の形態の健康管理システムの他の例であって、携帯端末装置等のタッチパネル上の表示例を示す図
【図４６】本実施の形態の健康管理システムの他の例であって、携帯端末装置等のタッチパネル上の表示例を示す図
【図４７】本実施の形態の健康管理システムの他の例であって、携帯端末装置等のタッチパネル上の表示例を示す図
【発明を実施するための形態】
【００２０】
以下に、本発明の健康管理システムの一実施の形態について、図面を用いて説明すると共に、本発明の健康管理方法、プログラム、及び記録媒体の一例についても同時に説明する。
【００２１】
まず、本実施の形態の健康管理システム１０の構成について、図１を用いて説明する。
【００２２】
図１は、本実施の形態の健康管理システム１０の概略構成を示すブロック図である。
【００２３】
図１に示す様に、健康管理システム１０は、インターネット１００に接続されたサーバー装置２００と、インターネット１００に接続されたデータベース３００と、インターネット１００への接続サービスを提供する公衆無線ＬＡＮのアクセスポイント４００を経由してサーバー装置２００に接続可能な複数の携帯端末装置５００Ａ、５００Ｂとから構成されている。
【００２４】
尚、サーバー装置２００、及びデータベース３００は、本実施の形態の健康管理システムのサービスをユーザーに提供する事業者が管理しており、携帯端末装置５００ＡはユーザーＡが使用し、携帯端末装置５００ＢはユーザーＢが使用するものとする。携帯端末装置は一つであっても良いし、三つ以上であっても良い。
【００２５】
また、サーバー装置２００は、サーバー装置の各部の制御を行う中央処理部（ＣＰＵ）２１０と、少なくとも本実施の形態の健康管理方法の各工程（各ステップ）を実行する専用アプリケーションプログラムを予め格納したＲＯＭ（図示省略）及びその専用アプリケーションプログラムの実行に必要なデータを随時格納するＲＡＭ（図示省略）等を備えたメモリ部２２０と、インターネット１００を介してデータベース３００や携帯端末装置５００との間で情報の送受信を行う通信部２３０と、インターネット１００を介して携帯端末装置５００に送信する画像信号を生成する画像生成部２４０とを備え、これらがバス２５０を介して接続されている。
【００２６】
また、データベース３００には、全てのユーザーの個人情報が格納された個人データ３１０と、携帯端末装置５００に送信する各種の画像信号を生成するための画像データ３２０と、ユーザーが摂取した栄養成分等を算出する際に用いる算出基礎データ３３０と、ユーザーの栄養バランス等を判定するための判定基準データ３４０等が含まれている。
【００２７】
また、画像データ３２０として、ログイン・新規登録画面６０１（図３（ａ）参照）や、朝食・昼食・夕食・間食の区別の選択画面６１３（図４（ｂ）参照）や、食事の場所の選択画面６１６（図５（ａ）参照）や、レストランでの食事メニューの選択画面６１９（図５（ｂ）参照）や、家食での食事メニューの選択画面（図示省略）等、ユーザーの要求や選択に応じて必要となる全ての画面が、サーバー装置２００の画像生成部２４０により生成出来る様に、予め各種データが格納されている。
【００２８】
尚、データベース３００には、食事メニューの選択画面として、レストランや家食などの食事の場所の区分毎に（図５（ａ）参照）、あらゆる種類のメニューが格納されているが、ユーザーによる選択を容易にするために、大分類された食事メニューの選択画面（図５（ｂ）参照）のデータと、その大分類された食事メニュー毎に小分類された食事メニューの選択画面（図６（ａ）参照）のデータが関連づけて格納されている。
【００２９】
また、算出基礎データとして、ユーザーがタッチパネル５１０上で選択し得る全ての飲食物について、飲食物毎に含まれている各栄養成分の分量やカロリー量が、その飲食物毎の識別情報と対応づけて予め登録されている。例えば、レストランのポークカレー（１人前）には、タンパク質、脂質、炭水化物、カリウム、カルシウム、リン、鉄、レチノール当量、ビタミンＤ、ビタミンＫ、ビタミンＢ１、ビタミンＢ２、ビタミンＣ、塩分等の栄養成分について、それぞれどれだけ含まれているかが予め登録されていると共に、そのレストランのポークカレー（１人前）についてのカロリー値が予め登録されている。また、例えば、調味料のソース（スプーン１杯分）についても、同様に、上記の各栄養成分がそれぞれどれだけ含まれているかが予め登録されていると共に、その調味料のソース（スプーン１杯分）についてのカロリー値が予め登録されている。
【００３０】
また、判定基準データ３４０として、性別、年齢、身長、体重、病歴等に応じて公的機関が推奨している、栄養成分の１日当たりの基準摂取量が予め格納されている。
【００３１】
また、携帯端末装置５００は、表示機能と入力機能を兼ねたタッチパネル５１０を備えた装置であり、ユーザーが、タッチパネル５１０上に表示された表示画像を見て、その中から所望の画像（アイコン）を選択し、指でタッチすることにより選択された画像に対応する情報を入力することにより、サーバー装置２００に送信することが可能となる。
【００３２】
尚、本実施の形態のタッチパネル５１０は、本発明の入力部の一例にあたると共に、本発明の出力部の一例にあたる。また、本実施の形態のデータベース３００は、本発明のデータベースの一例にあたり、本実施の形態のサーバー装置２００は、本発明の制御部の一例にあたる。また、本実施の形態のサーバー装置２００は、本発明の演算部の一例にあたり、また、本発明の判定部の一例にあたる。
【００３３】
以上の構成により、主として図２を参照しながら、ユーザーＡが本実施の形態の健康管理システムによるサービスを利用する場合の動作を説明すると共に、本実施の形態の健康管理方法の一実施の形態についても同時に説明する。
【００３４】
図２は、本実施の形態の健康管理方法の各ステップを示したフローチャートである。
【００３５】
ユーザーＡが本実施の形態の健康管理システムによるサービスを利用する場合、ユーザーＡがタッチパネル５１０（図１参照）を操作することによって携帯端末装置５００Ａから、接続要求がインターネット１００を介してサーバー装置２００に送られる。
【００３６】
サーバー装置２００では、ユーザーＡからの接続要求を受けて、中央処理部２１０が、メモリ部２２０に予め格納されている本実施の形態の健康管理方法の専用アプリケーションプログラムの実行を開始する（ステップ２０１）。
【００３７】
即ち、ログイン・新規登録画面６０１（図３（ａ）参照）を構築するための画像データがデータベース３００から読み出され、画像生成部２４０に送られて、携帯端末装置５００Ａに送信する画像信号が生成されて通信部２３０から送信される。
【００３８】
ここで、図３（ａ）は、携帯端末装置５００Ａのタッチパネル５１０に表示されたログイン・新規登録画面６０１を示し、図３（ｂ）は、同タッチパネル５１０上に表示された新規登録画面６０７を示す図である。
【００３９】
インターネット１００を介してユーザーＡの携帯端末装置５００Ａに送信された画像信号によりタッチパネル５１０上にログイン・新規登録画面６０１（図３（ａ）参照）が表示されると、ユーザーＡは、初めて当該サービスを利用する場合は新規登録画像アイコン６０２をタッチし、２回目以降の利用であれば、ユーザーＩＤ欄６０３とパスワード欄６０４にデータを入力してログイン画像アイコン６０５をタッチする。
【００４０】
ここでは、初めての利用であるとして、新規登録画像アイコン６０２を指でタッチすると、ステップＳ２０２において、「ＹＥＳ」と判定されてステップＳ２０３へ進み、タッチパネル５１０上に新規登録画面６０７（図３（ｂ）参照）が表示される。ユーザーＡは、この画面を見て、各種情報の入力を促されて、ユーザーＩＤ、パスワード、性別、身長、体重、生年月日、病歴などの個人情報（パーソナル情報）をタッチパネル５１０から入力する（ステップＳ２０３）。
【００４１】
必要な個人情報の入力が完了すると、ユーザーＡが、新規登録画面６０７（図３（ｂ）参照）上の完了画像アイコン６０８をタッチすることにより、入力された個人情報が携帯端末装置５００Ａからサーバー装置２００に送信されてデータベース３００の個人データ３１０として格納される。
【００４２】
尚、データベース３００に判定基準データ３４０として予め格納されている、性別、年齢、身長、体重、病歴等に応じた、「栄養成分毎の１日当たりの基準摂取量」の中から、ステップＳ２０３で入力されたユーザーＡの個人情報を利用して、そのユーザーＡに最適な、「栄養成分毎の１日当たりの基準摂取量」を割り出して、データベース３００の個人データ３１０として格納すると共に、サーバー装置２００のメモリ部２２０にも一時的に格納される。
【００４３】
尚、本実施の形態のメモリ部２２０や、データベース３００における、個人データ３１０の格納領域或いは判定基準データ３４０の格納領域は、本発明の基準摂取量記憶部の一例にあたる。
【００４４】
そして、再びステップＳ２０２の直前に戻り、タッチパネル５１０上にログイン・新規登録画面６０１（図３（ａ）参照）が表示される。
【００４５】
ユーザーＡは、既に新規登録を完了しているので、今度は、ユーザーＩＤ欄６０３とパスワード欄６０４に登録済みのデータを入力してログイン画像アイコン６０５をタッチする。この操作により、ステップＳ２０２において、ＮＯと判定されて、ステップＳ２０４へ進む。
【００４６】
そして、プログラムメニューの選択画面（図４（ａ）参照）を構築するための画像データ３２０がデータベース３００から読み出され、画像生成部２４０に送られて、携帯端末装置５００Ａに送信する画像信号が生成されて通信部２３０から送信される。
【００４７】
ここで、図４（ａ）は、携帯端末装置５００Ａのタッチパネル５１０に表示されたプログラムメニューの選択画面６１０を示し、図４（ｂ）は、同タッチパネル５１０上に表示された朝食・昼食・夕食・間食の区別の選択画面６１３を示す図である。
【００４８】
インターネット１００を介してユーザーＡの携帯端末装置５００Ａに送信された画像信号によりタッチパネル５１０上にプログラムメニューの選択画面６１０（図４（ａ）参照）が表示される。プログラムメニューの選択画面６１０には、健康管理に関係した「食事記録プログラム」を意味する食事記録アイコン６１１ａや、健康管理に関係した「運動記録プログラム」を意味する運動記録アイコン６１１ｂなど、複数のアイコンが表示される（ステップＳ２０４参照）。
【００４９】
ここで、ユーザーＡが、表示された複数のアイコンの中から食事記録アイコン６１１ａを選択してタッチすると（ステップＳ２０５参照）、その信号が上記と同様、サーバー装置２００に送られて、選択された食事記録アイコン６１１ａに対応する画像データ３２０がデータベース３００から読み出され、その画像データを利用して画像生成部２４０により生成された画像信号が携帯端末装置５００Ａに送られて、タッチパネル５１０上に朝食・昼食・夕食・間食の区別の選択画面６１３（図４（ｂ）参照）が表示される（ステップＳ２０６参照）。
【００５０】
朝食を済ませたユーザーＡは、朝食・昼食・夕食・間食の区別の選択画面６１３に示された、朝食アイコン６１４ａ、昼食アイコン６１４ｂ、夕食アイコン６１４ｃ、間食アイコン６１４ｄの中から、朝食アイコン６１４ａを選択してタッチすると（ステップＳ２０７参照）、その信号が上記と同様、サーバー装置２００に送られて、選択された朝食アイコン６１４ａに対応する食事の場所の画像データ３２０がデータベース３００から読み出され、その画像データを利用して画像生成部２４０により生成された画像信号が携帯端末装置５００Ａに送られてタッチパネル５１０上に朝食を取った場所の選択画面６１６（図５（ａ）参照）が表示される（ステップＳ２０８参照）。
【００５１】
ここで、図５（ａ）は、携帯端末装置５００Ａのタッチパネル５１０に表示された朝食を取った場所の選択画面６１６を示し、図５（ｂ）は、同タッチパネル５１０上に表示された、朝食での食事メニューの選択画面６１９を示す図である。
【００５２】
朝食をレストランで取ったユーザーＡは、朝食を取った場所の選択画面６１６（図５（ａ）参照）に示された、外食アイコン６１７ａ、レストランアイコン６１７ｂ、コンビニアイコン６１７ｃ、家食アイコン６１７ｄ、手作り弁当アイコン６１７ｅ、食べなかったアイコン６１７ｆの中から、レストランアイコン６１７ｂを選択してタッチすると（ステップＳ２０９参照））、その信号が上記と同様、サーバー装置２００に送られて、選択されたレストランアイコン６１７ｂに対応する、レストランでのメニューの画像データ３２０がデータベース３００から読み出され、その画像データを利用して画像生成部２４０により生成された画像信号が携帯端末装置５００Ａに送られてタッチパネル５１０上にレストランでの食事メニューの選択画面６１９（図５（ｂ）参照）が表示される（ステップＳ２１０参照）。
【００５３】
尚、本実施の形態では、上述した通り、食事の場所の区分毎に、あらゆる種類のメニューが格納されているが、大分類された食事メニューの選択画面（図５（ｂ参照））における食事メニューの表示の順番は、食事の区別（図４（ｂ）参照）に応じて、一般的に選択頻度の高い順に提示される様に構成されている。具体的には、データベース３００において、大分類された食事メニューの選択画像のデータ毎に、食事の区別に応じた提示の順番が予め付されており、ステップＳ２１０において食事メニューの選択画面が表示される際に、その予め付された順番に従って並べられる。
【００５４】
朝食時にレストランでポークカレーを食べたユーザーＡは、タッチパネル５１０上でスクロールすることにより、食事メニューの選択画面６１９（図５（ｂ）参照）に示された様々な大分類の食事メニューの中からカレーアイコン６２０ａを見つけ、そのカレーアイコン６２０ａを選択してタッチすると（ステップＳ２１１参照））、その信号が上記と同様、サーバー装置２００に送られて、選択されたカレーアイコン６２０ａに対応するカレーの種類を分類した画像データ３２０がデータベース３００から読み出され、その画像データを利用して画像生成部２４０により生成された画像信号が携帯端末装置５００Ａに送られて、タッチパネル５１０上にカレーの種類を分類して提示した食事メニューの小分類の選択画面６２２（図６（ａ）参照）が表示される（ステップＳ２１２参照）。
【００５５】
ここで、図６（ａ）は、携帯端末装置５００Ａのタッチパネル５１０に表示された食事メニューの小分類の選択画面６２２を示し、図６（ｂ）は、同タッチパネル５１０上に表示された、ポークカレーの分量の選択画面６２５を示す図である。
【００５６】
ユーザーＡは、朝食にポークカレーを食べたので、食事メニューの小分類の選択画面６２２（図６（ａ）参照）に示された、様々な種類のカレーの中からポークカレーのアイコン６２３ａを選択してタッチすると（ステップＳ２１３参照））、その信号が上記と同様、サーバー装置２００に送られて、選択されたポークカレーのアイコン６２３ａに対応する分量を区別する画像データ３２０がデータベース３００から読み出され、その画像データを利用して画像生成部２４０により生成された画像信号が携帯端末装置５００Ａに送られてタッチパネル５１０上にポークカレーの分量の選択画面６２５（図６（ｂ）参照）が表示される（ステップＳ２１４参照）。
【００５７】
朝食時にレストランでポークカレーを１人前食べたユーザーＡは、ポークカレーの分量の選択画面６２５（図６（ｂ）参照）に示された６種類の分量を示すアイコンの中から１人前の分量を示すポークカレー１人前アイコン６２６ａを選択してタッチすると（ステップＳ２１５参照）その信号が上記と同様、サーバー装置２００に送られて、選択されたポークカレー１人前アイコン６２６ａに対応する調味料の画像データ３２０がデータベース３００から読み出され、その画像データを利用して画像生成部２４０により生成された画像信号が携帯端末装置５００Ａに送られて、タッチパネル５１０上にポークカレーに使用する可能性のある調味料の種類を提示した調味料の種類の選択画面６２８（図７（ａ）参照）が表示される（ステップＳ２１６参照）。
【００５８】
ここで、図７（ａ）は、携帯端末装置５００Ａのタッチパネル５１０に表示された、ポークカレーに使用する可能性のある調味料の種類を提示した調味料の種類の選択画面６２８を示し、図７（ｂ）は、同タッチパネル５１０上に表示された、ポークカレーに使用するソースの分量の選択画面６３１を示す図である。
【００５９】
ユーザーＡは、朝食にポークカレーを食べたとき、ソースを使用したので、ポークカレーに使用する可能性のある調味料の種類を提示した調味料の種類の選択画面６２８（図７（ａ）参照）に示された調味料の中からソースアイコン６２９ａを選択してタッチすると（ステップＳ２１７参照））、その信号が上記と同様、サーバー装置２００に送られて、選択されたソースアイコン６２９ａに対応する分量を区別する画像データ３２０がデータベース３００から読み出され、その画像データを利用して画像生成部２４０により生成された画像信号が携帯端末装置５００Ａに送られてタッチパネル５１０上にポークカレーに使用するソースの分量の選択画面６３１（図７（ｂ）参照）が表示される（ステップＳ２１８参照）。
【００６０】
朝食時にレストランでポークカレーを１人前食べたユーザーＡは、スプーンの１／２の分量のソースをカレーにかけて食べたので、ソースの分量の選択画面６３１（図７（ｂ）参照）に示された６種類の分量を示すアイコンの中から１／２の分量を示す１／２アイコン６３２ａを選択してタッチすると（ステップＳ２１９参照）その信号がサーバー装置２００に送られる。
【００６１】
尚、上述したステップにおいてユーザーＡが選択した各種情報は、日時情報と共に、サーバー装置２００のメモリ部２２０に一時的に格納される。
【００６２】
即ち、上述した例では、サーバー装置２００のメモリ部２２０は、ユーザーＡが、２０１４年１１月１０日、朝食として、レストランでポークカレーを１人前食べ、その際に調味料としてソースを１／２スプーン分かけたという「朝食についての食事情報」が記録されている。
【００６３】
ユーザーＡによる調味料の分量の入力が完了すると（ステップＳ２１９参照）、メモリ部２２０に記録されている「朝食についての食事情報」を利用して、データベース３００に予め格納されている算出基礎データ３３０から、「レストランのポークカレー（１人前）」について登録されている上述した各栄養成分及びカロリーのデータと、「調味料のソース（スプーン１杯分）」について登録されている上述した各栄養成分及びカロリーのデータとを、読み出して合算することにより、２０１４年１１月１０日の朝食における栄養成分毎の摂取量を算出すると共に、カロリーの摂取量を算出する（ステップＳ２２０参照）。
【００６４】
尚、ここでは、ユーザーＡは、調味料としてソースを１／２スプーン分かけているので、ステップＳ２２０における上記合算の際には、データベース３００から読み出した、算出基礎データ３３０として登録されている「調味料のソース（スプーン１杯分）」についての各栄養成分及びカロリーのデータをそのまま用いるのではなく、１／２の係数を乗算して用いる。
【００６５】
また、ユーザーＡがレストランのポークカレーを１．５人前食べた場合は、ステップＳ２２０における上記合算の際には、データベース３００から読み出した、算出基礎データ３３０として登録されている「レストランのポークカレー（１人前）」についての各栄養成分及びカロリーのデータをそのまま用いるのではなく、１．５の係数を乗算して用いる。
【００６６】
次に、ユーザーＡの、２０１４年１１月１０日の朝食について合算された栄養成分毎の摂取量とカロリーの摂取量のデータは、サーバー装置２００のメモリ部２２０に既に記録されている、その日の栄養成分毎の摂取量とカロリーの摂取量のデータに対して更に合算される（ステップＳ２２１参照）。ここで、メモリ部２２０に記録されているその日の栄養成分毎の摂取量とカロリーの摂取量のデータは、毎日自動的にリセットされるので、その日の最初の飲食である朝食については、当該データはリセットされてゼロになっている。
【００６７】
尚、ステップＳ２２１において合算されたデータは、朝食の時点におけるその日の一日分の栄養成分毎の摂取量のデータ、及びカロリーの摂取量のデータとして、それぞれサーバー装置２００のメモリ部２２０に上書き記録されると共に、データベース３００にユーザーＡの個人データ３１０として上書き記録される。
【００６８】
また、ステップＳ２２１では、朝食以外の昼食、夕食、間食についても、上記と同様に、その飲食を含めて、その日におけるその飲食までの全ての飲食のデータを合算して、その合算結果をメモリ部２２０及びデータベース３００に上書き記録する。
【００６９】
次に、サーバー装置２００のメモリ部２２０に記録されている、ステップＳ２２１において合算した「一日分の栄養成分毎の摂取量」と、ユーザーＡに最適な「栄養成分毎の１日当たりの基準摂取量」とを比較して、適正な範囲内に入っているか否かを判定し（ステップＳ２２２参照）、その判定結果において、適正な範囲に入っている旨が示されていればステップＳ２２３へ進み、朝食時におけるその日の一日分の栄養成分毎の摂取量を棒グラフで表示するために、画像生成部２４０で画像信号を生成し、携帯端末装置５００Ａに送信することにより、携帯端末装置５００Ａのタッチパネル５１０上に上述した棒グラフが表示されて、ステップＳ２２５へ進む。ステップＳ２２２での判定結果は、データベース３００にユーザーＡの個人データ３１０として格納される。尚、本実施の形態のデータベース３００の個人データ３１０の格納領域は、本発明の判定結果記憶部の一例にあたる。
【００７０】
一方、ステップＳ２２２での判定結果において、適正な範囲に入っていない旨が示されていれば、ステップＳ２２４へ進み、朝食時におけるその日の一日分の主要な栄養成分毎（塩分、炭水化物、脂質、たんぱく質）の摂取量を棒グラフで表示すると共に、過剰摂取の栄養成分があれば、例えば、塩分を基準摂取量より多く摂取していると判定した場合は、「塩分を多く含んだ食品を過剰摂取しています。」という警告文を表示するために（図８（ａ）参照）、画像生成部２４０で画像信号を生成し、携帯端末装置５００Ａに送信する。そして、携帯端末装置５００Ａのタッチパネル５１０上に当該警告文を表示し（ステップＳ２２４参照）、ステップＳ２２５へ進み、ステップＳ２０７において「夕食アイコン６１４ｃ」が選択されたか否かを判定し、「ＮＯ」と判定されるとステップＳ２２７へ進み、一連の処理が終了する。尚、ステップＳ２２２での判定結果は、データベース３００にユーザーＡの個人データ３１０として格納される。
【００７１】
ここで、図８（ａ）は、ユーザーＡの２０１４年１１月１０日の朝食時におけるその日の一日分の主要な栄養成分毎（塩分、炭水化物、脂質、たんぱく質）の摂取量を示す棒グラフと、それら栄養成分毎の「過剰」、「適正」、「不足」の判定結果と、「塩分を多く含んだ食品を過剰摂取しています。」という警告文が表示された栄養バランス（朝食）画面６３４が、携帯端末装置５００Ａのタッチパネル５１０に表示された状態を示す図であり、図８（ｂ）は、ユーザーＡの２０１４年１１月１０日の昼食時におけるその日の一日分の栄養バランス（昼食）画面６３６が、携帯端末装置５００Ａのタッチパネル５１０に表示された状態を示す図である。図８（ｂ）については更に後述する。
【００７２】
尚、図８（ａ）において、警告文は赤文字で強調されており、塩分の棒グラフとその下に表示された「過剰」の文字は共に赤色であり、たんぱく質の棒グラフとその下方に表示された「不足」の文字は共に紫色であり、炭水化物と脂質の棒グラフとそれらの下方に表示された「適正」の文字は共に緑色である。
【００７３】
これにより、携帯端末装置５００Ａのタッチパネル５１０上で栄養バランス（朝食）画面６３４を見たユーザーＡは、朝食で塩分を多く取りすぎたことを直ぐに自覚出来て、後の食事では、塩分を多く含む飲食物を控える様に自己管理することが出来る。
【００７４】
その後、ユーザーＡは、２０１４年１１月１０日の昼食後において、上述した朝食の場合と同様に、携帯端末装置５００Ａを操作する（ステップＳ２０１〜ステップＳ２１９参照）。その結果、ステップＳ２２２で「ＮＯ」と判定されると、ステップＳ２２４において、栄養バランス（昼食）画面６３６が、携帯端末装置５００Ａのタッチパネル５１０上に表示される（図８（ｂ）参照）。
【００７５】
昼食について、ユーザーＡは、塩分を多く含む飲食物を控えたので、栄養バランス（昼食）画面６３６（図８（ｂ）参照）に示す様に、昼食時における塩分の摂取量Δｑは朝食時の塩分の摂取量Ｑに比べて大幅に低減されているが（図８（ｂ）参照）、昼食時におけるその日の一日分の塩分の摂取量Ｑ＋Δｑとしては、基準摂取量を当然に超えているので朝食時の表示画面と同じ警告文が表示される（図８（ｂ）参照）。
【００７６】
更にその後、ユーザーＡは、２０１４年１１月１０日の夕食について、上述した朝食や昼食の場合と同様に、携帯端末装置５００Ａを操作する（ステップＳ２０１〜ステップＳ２１９参照）。その結果、ステップＳ２２２で「ＮＯ」と判定されると、ステップＳ２２４において、警告文と共に栄養バランス（夕食）画面６３８が、携帯端末装置５００Ａのタッチパネル５１０上に表示され（図９（ａ）参照）、ステップＳ２２５へ進む。
【００７７】
但し、夕食時におけるその日の一日分についての塩分の摂取量は、基準摂取量を大きく超えたので、それに応じて警告文の内容が、図８（ｂ）の栄養バランス（昼食）画面６３６の警告文より厳しい、「塩分注意！」の表現に変更される（図９（ａ）参照）。
【００７８】
夕食の場合、ステップＳ２２５では「ＹＥＳ」と判定されるので、ステップＳ２２６へ進み、その後、ステップＳ２２７へ進み、一連の処理が終了する。
【００７９】
ステップＳ２２６では、夕食時におけるその日の一日分の全ての栄養成分と摂取エネルギーを折れ線グラフで示す栄養バランス（一日）画面６４０が、携帯端末装置５００Ａのタッチパネル５１０に表示される（図９（ｂ）参照）。
【００８０】
ここで、図９（ａ）は、本実施の形態の健康管理システムにおいて、ユーザーＡの２０１４年１１月１０日の夕食時におけるその日の一日分の主要な栄養成分についての栄養バランス（夕食）画面６３８が、携帯端末装置５００Ａのタッチパネル５１０に表示された状態を示す図であり、図９（ｂ）は、ユーザーＡの２０１４年１１月１０日の夕食時におけるその日の一日分の全ての栄養成分と摂取エネルギーを折れ線グラフで示す栄養バランス（一日）画面６４０が、携帯端末装置５００Ａのタッチパネル５１０に表示された状態を示す図である。
【００８１】
図９（ｂ）に示す折れ線グラフの栄養バランス（一日）画面６４０では、中央に、ユーザーＡに最適な「栄養成分の１日当たりの基準摂取量」を円６４１で示し、その日に摂取した各栄養成分が、円６４１で示された基準値と比較して適正レベルであるか否かが、タッチパネル５１０を見たユーザーＡが簡単に分かるように表示されている。即ち、折れ線の各ポイントが円６４１の円周上又はその近傍に位置する場合はそれに対応する栄養成分の摂取量は「適正」であり、円周の外側に大きくはみ出して位置している場合は「過剰」であり、円周の内側に極端に位置している場合は「不足」であることが一目で分かる。
【００８２】
これを見たユーザーＡは、塩分の摂取量が過剰であることや、ビタミンＤが不足していることを明確に把握できるので、次の日以降の食事における自己管理に大きな動機付けとなる。
【００８３】
以上説明したことから、本実施の形態の健康管理システムのサービスを利用すれば、実際にユーザーが摂取した飲食物について、画面上に提示された判別が容易なアイコンを順次選択するだけで入力が可能となるため、携帯端末装置の操作が簡単であり、且つ、栄養成分毎に基準値との比較結果が具体的に表示されるので、ユーザーは改善策を具体的に認識出来る。
【００８４】
尚、本実施の形態のサーバー装置２００のメモリ部２２０に記録された各ユーザーの一日分の各栄養成分の合算値やカロリー値は、次の日には自動的にリセットされてゼロとなるが、データベース３００の個人データ３１０として記録された各ユーザーの一日分の各栄養成分の合算値やカロリー値は、日付情報と共に蓄積される構成である。
【００８５】
また、本実施の形態のステップＳ２０３、Ｓ２０７、Ｓ２０９、Ｓ２１１、Ｓ２１３、Ｓ２１５、Ｓ２１７、Ｓ２１９は、本発明の入力工程の一例にあたる。また、本実施の形態のステップＳ２１０、Ｓ２１２、Ｓ２１６は、本発明の第１提示工程の一例にあたり、本実施の形態のステップＳ２１４、Ｓ２１８は、本発明の第２提示工程の一例にあたる。また、本実施の形態のステップＳ２２０、Ｓ２２１は、本発明の演算工程の一例にあたり、本実施の形態のステップＳ２２２は、本発明の判定工程の一例にあたる。また、本実施の形態のステップＳ２２３、Ｓ２２４、Ｓ２２６は、本発明の表示工程の一例にあたる。
【００８６】
また、本実施の形態の健康管理方法の各工程（各ステップ）を実行する専用アプリケーションプログラムが、本発明のプログラムの一例にあたる。
【００８７】
即ち、本発明のプログラムの一例としては、例えば、タッチパネル５１０から入力される、少なくとも飲食物の種類及び分量を含む健康に関する情報を受け付ける入力工程（図２のステップＳ２０３、Ｓ２０７、Ｓ２０９、Ｓ２１１、Ｓ２１３、Ｓ２１５、Ｓ２１７、Ｓ２１９参照）と、データベース３００に予め格納されている飲食物の種類の例を、タッチパネル５１０に複数提示する第１提示工程（図２のステップＳ２１０、Ｓ２１２、Ｓ２１６参照）と、第１提示工程で提示された複数の、飲食物の種類の例から、ユーザーによりタッチパネル５１０によって選択された飲食物の種類の例についての、データベース３００に予め格納されている飲食物の分量の例を、タッチパネル５１０に複数提示する第２提示工程（図２のステップＳ２１４、Ｓ２１８参照）と、第２提示工程で提示された複数の、飲食物の分量の例から、ユーザーによりタッチパネル５１０によって選択された飲食物の分量の例が含む所定の栄養成分の摂取量を、データベース３００に飲食物と対応づけて予め格納されている栄養成分毎の量に基づいて、栄養成分毎に演算する演算工程（図２のステップＳ２２０、Ｓ２２１参照）と、演算工程での演算結果が、基準摂取量記憶部に格納されている栄養成分毎の基準摂取量を超えるか否かを判定する判定工程（図２のステップＳ２２２参照）と、演算工程による演算結果と、判定工程による判定結果とをタッチパネル５１０に表示する表示工程（図２のステップＳ２２３、Ｓ２２４、Ｓ２２６参照）との各工程の動作をコンピュータに実行させるプログラムであって、コンピュータと協働して動作するプログラムが挙げられる。
【００８８】
また、本発明の記録媒体の一例は、タッチパネル５１０から入力される、少なくとも飲食物の種類及び分量を含む健康に関する情報を受け付ける入力工程（図２のステップＳ２０３、Ｓ２０７、Ｓ２０９、Ｓ２１１、Ｓ２１３、Ｓ２１５、Ｓ２１７、Ｓ２１９参照）と、データベース３００に予め格納されている飲食物の種類の例を、タッチパネル５１０に複数提示する第１提示工程（図２のステップＳ２１０、Ｓ２１２、Ｓ２１６参照）と、第１提示工程で提示された複数の、飲食物の種類の例から、ユーザーによりタッチパネル５１０によって選択された飲食物の種類の例についての、データベース３００に予め格納されている飲食物の分量の例を、タッチパネル５１０に複数提示する第２提示工程（図２のステップＳ２１４、Ｓ２１８参照）と、第２提示工程で提示された複数の、飲食物の分量の例から、ユーザーによりタッチパネル５１０によって選択された飲食物の分量の例が含む所定の栄養成分の摂取量を、データベース３００に飲食物と対応づけて予め格納されている栄養成分毎の量に基づいて、栄養成分毎に演算する演算工程（図２のステップＳ２２０、Ｓ２２１参照）と、演算工程での演算結果が、基準摂取量記憶部に格納されている栄養成分毎の基準摂取量を超えるか否かを判定する判定工程（図２のステップＳ２２２参照）と、演算工程による演算結果と、判定工程による判定結果とをタッチパネル５１０に表示する表示工程（図２のステップＳ２２３、Ｓ２２４、Ｓ２２６参照）との各工程の動作をコンピュータに実行させるプログラムを記録した記録媒体であり、コンピュータにより読み取り可能且つ、読み取られたプログラムがコンピュータと協働して利用される記録媒体である。
【００８９】
また、上記「工程の動作」とは、上記各工程の全部又は一部の動作を意味する。
【００９０】
また、本発明のプログラムの一利用形態は、コンピュータにより読み取り可能な、ＲＯＭ等の記録媒体に記録され、コンピュータと協働して動作する態様であっても良い。
【００９１】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【００９２】
尚、上記実施の形態では、ステップＳ２１１においてユーザーが食事メニューを選択する際に、１種類のみ、即ちカレーアイコン６２０ａのみを選択する場合について説明したが（図５（ｂ）参照）、これに限らず例えば、朝食時にカレーとブレンドコーヒーをブラックで飲食した場合であれば、複数種類の飲食物、即ち、カレーアイコン６２０ａとコーヒーアイコン（図示省略）をステップＳ２１１において選択する構成であっても良い。この構成の場合、カレーアイコン６２０ａの他にコーヒーアイコンを選択したので、上述したカレーの場合と同様、コーヒーについても、コーヒーの種類を分類して提示した食事メニューの小分類の選択画面の表示（図２のステップＳ２１２参照）とその選択（図２のステップＳ２１３参照）、コーヒーの分量の選択画面の表示（図２のステップＳ２１４参照）とその選択（図２のステップＳ２１５参照）、砂糖・ミルクの何れを入れたかの選択画面の表示（図２のステップＳ２１６参照）とその選択（図２のステップＳ２１７参照）、砂糖・ミルクの分量の選択画面の表示（図２のステップＳ２１８参照）とその選択（図２のステップＳ２１９参照）が実行される。そして、ステップＳ２２０において、朝食における栄養成分毎の摂取量の算出に際しては、上述したポークカレー（１人前）とソース（１／２スプーン）についての栄養成分毎の量とカロリー量の合算の他に、ブレンドコーヒーについても、データベース３００に算出基礎データ３３０として予め格納されている栄養成分毎の量とカロリー量を読み出して合算する構成である。尚、ステップＳ２２１以降は上述した内容と同じである。
【００９３】
また、上記実施の形態では、ステップＳ２１１においてユーザーが食事メニューを選択する際に、１種類のみ、即ちカレーアイコン６２０ａのみを選択する場合について説明したが（図５（ｂ）参照）、これに限らず例えば、朝食時にカレーとブレンドコーヒーをブラックで飲食した場合であれば、複数種類の飲食物、即ち、カレーアイコン６２０ａとコーヒーアイコン（図示省略）をステップＳ２１１において選択し、それぞれの飲食物についての分量を選択する場合、カレーの分量の例を提示する画面（図６（ｂ）参照）とコーヒーの分量の例を提示する画面（図示省略）とを、タッチパネル５１０上に同時に表示させる構成であっても良い。これにより、入力画面の数が削減出来、入力作業がより簡単になる。
【００９４】
また、上記実施の形態では、ユーザーＡが飲食した後に、その飲食時におけるその日の一日分の、全ての飲食物に含まれていた栄養成分について、栄養成分毎に合算された摂取量を基準摂取量と比較判定した判定結果を、データベース３００にユーザーＡの個人データ３１０として格納すると共に、ユーザーＡの携帯端末装置５００Ａに表示する構成について説明したが、これに限らず例えば、次の日にユーザーＡが、食事をする前に、本実施の形態の健康管理システムのサービスを利用する場合であって、ユーザーＡの携帯端末装置５００Ａのタッチパネル５１０に食事メニューの選択画面６１９（図５（ｂ）参照）を表示させる際、データベース３００にユーザーＡの個人データ３１０として格納されている一日前の、一日分の栄養成分毎の摂取量に対する判定結果の中に特定の栄養成分の過剰摂取又は不足を意味する内容が含まれているか否かを判定し、例えば「塩分注意！」の警告が含まれていると判定した場合（図９（ａ）の、栄養バランス（夕食）画面６３８の「塩分注意！」の警告を参照）、食事メニューの選択画面６１９に提示する複数のメニューのアイコン表示の内、その警告文の内容に応じて、塩分の少ないメニューのアイコン表示には、推奨メニューを意味する二重丸を付し、塩分が多く含まれているメニューのアイコン表示には、非推奨メニューを意味する×印を付す構成としても良い。これにより、ユーザーは、例えば今からレストランで食事をしようとする際に、食べて良いものと、食べない方が良いものが具体的に分かる。
【００９５】
また、上記実施の形態では、ユーザーＡの飲食時におけるその日の一日分の、全ての飲食物に含まれていた栄養成分について、栄養成分毎に摂取量を合算すると共に、全ての飲食物に含まれていたカロリーについても摂取量を合算し、一日分の基準摂取量と比較判定する構成について説明したが（ステップＳ２２０、Ｓ２２１）、これに限らず例えば、飲食時における栄養成分毎の摂取量を算出すると共に、その飲食時におけるカロリーの摂取量を算出して（ステップＳ２２０参照）、それぞれの算出データをサーバー装置２００のメモリ部２２０に記録する構成であっても良い。この構成の場合、例えば、昼食時における栄養バランス（昼食のみ）画面６５０は、図１０に示す様に表示される。そして、この構成において各食の摂取量の過不足を判定する場合、サーバー装置２００のメモリ部２２０に格納されている、そのユーザーに最適な「栄養成分毎の１日当たりの基準摂取量」を、朝食・昼食・夕食の各食について３等分した値を、各食基準摂取量として用いる。尚、各食基準摂取量の設定の仕方はこれに限定されるものではなく、どの様に設定しても良い。図１０は、上記実施の形態の健康管理システムの変形例であって、昼食時における栄養バランス（昼食のみ）画面６５０が、携帯端末装置のタッチパネルに表示された状態を示す図である。
【００９６】
また、この構成の場合、一日分の栄養成分毎の摂取量のデータ、及びカロリーの摂取量のデータを表示するか否かの要求を受け付ける表示要求アイコン（図示省略）を、例えば、各飲食時における栄養バランス画面（図１０参照）の中に提示する構成（図示省略）であっても良い。そして、ユーザーにより表示要求アイコンが選択されると、サーバー装置２００は、サーバー装置２００のメモリ部２２０にそれぞれ記録されている、その日の各飲食についての栄養成分毎の摂取量のデータ、及びカロリーの摂取量のデータをそれぞれ合算し、その合算結果を、ステップＳ２２２〜Ｓ２２６で説明した様に、サーバー装置２００のメモリ部２２０に格納されているそのユーザーに最適な「栄養成分毎の１日当たりの基準摂取量」と比較して過不足を判定し（ステップＳ２２２参照）、その結果を表示する（ステップＳ２２３〜Ｓ２２６参照）。また、その合算結果と判定結果は、サーバー装置２００のメモリ部２２０に記録されると共に、データベース３００にユーザーＡの個人データ３１０として記録される。
【００９７】
また、上記実施の形態では、ステップＳ２０８〜Ｓ２０９において、食事の場所の表示及び選択を行う工程と、ステップＳ２１６〜Ｓ２１９において、調味料等についての表示及び選択を行う工程を含む構成について説明したが、これに限らず例えば、食事の場所の表示及び選択を行う工程と調味料等についての表示及び選択を行う工程を含まない構成であっても良い。即ち、食事の場所の表示及び選択を行う工程（ステップＳ２０８、Ｓ２０９）を含まない構成の場合、ステップＳ２１０において表示される食事メニューの選択画面では、図５（ｂ）の食事メニューの選択画面６１９上に示されている「レストラン」の文字は表示されない。
【００９８】
また、上記実施の形態では、ステップＳ２０６〜Ｓ２０７において、朝食・昼食・夕食・間食の区別の選択画面６１３（図４（ｂ）参照）が表示されて、ユーザーがその中から何れかを選択して入力する構成について説明したが、これに限らず例えば、一日分の飲食物を纏めて入力する構成であっても良い。
【００９９】
また、上記実施の形態では、携帯端末装置が公衆無線ＬＡＮのアクセスポイント４００を経由してサーバー装置２００に接続する構成について説明したが、これに限らず例えば、ＷｉＦｉルータを介してサーバー装置２００に接続する構成であっても良いし、或いは、ＷｉＦｉ環境が無い場合は、携帯端末装置にＳＩＭを入れて、携帯電話通信網（３Ｇ、４Ｇ、ＬＴＥ）を通じてサーバー装置２００に接続する構成であっても良い。
【０１００】
また、上記実施の形態のサーバー装置はクラウドサーバーであっても良い。
【０１０１】
また、上記実施の形態では、健康管理システム１０は、インターネット１００に接続されたサーバー装置２００と、インターネット１００に接続されたデータベース３００と、インターネット１００への接続サービスを提供する公衆無線ＬＡＮのアクセスポイント４００を経由してサーバー装置２００に接続可能な複数の携帯端末装置５００Ａ、５００Ｂとから構成されている場合について説明したが、これに限らず例えば、インターネットに代えて、企業内ネットワークや施設内ネットワークを利用したシステムであっても良い。
【０１０２】
また、上記実施の形態では、健康管理システム１０は、インターネット１００に接続されたサーバー装置２００と、インターネット１００に接続されたデータベース３００と、インターネット１００への接続サービスを提供する公衆無線ＬＡＮのアクセスポイント４００を経由してサーバー装置２００に接続可能な複数の携帯端末装置５００Ａ、５００Ｂとから構成されている場合について説明したが、これに限らず例えば、少なくとも飲食物の種類及び分量を含む健康に関する情報を入力する入力部と、所定の情報を表示する表示部と、を備えた健康管理システムであって、（１）少なくとも、前記飲食物の種類の例を複数と前記飲食物の分量の例を複数と前記複数の飲食物毎に含まれている所定の栄養成分毎の量とを、予め格納したデータベースと、（２）前記データベースから読み出した前記飲食物の種類の例を、前記表示部に複数提示させ、前記提示された複数の、前記飲食物の種類の例から、被管理者により前記入力部によって選択された前記飲食物の種類の例についての、前記データベースから読み出した前記飲食物の分量の例を、前記表示部に複数提示させる制御部と、（３）前記表示部に前記提示された複数の、前記飲食物の分量の例から、前記被管理者により前記入力部によって選択された前記飲食物の分量の例が含む前記栄養成分の摂取量を、前記データベースに前記飲食物と対応づけて予め格納されている前記栄養成分毎の量に基づいて、前記栄養成分毎に演算する演算部と、（４）前記栄養成分毎の基準摂取量を格納する基準摂取量記憶部と、（５）前記演算部による演算結果が、前記基準摂取量記憶部に格納された前記栄養成分毎の基準摂取量を超えるか否かを判定する判定部と、を備え、前記表示部は、前記演算部による前記演算結果と、前記判定部による判定結果とを表示する、ことを特徴とする健康管理システムについて、上記各部を一体的に構成した携帯型装置であっても良い。
【０１０３】
また、上記実施の形態において、入力する健康に関する情報には、少なくとも飲食物の種類及び分量を含む他に、被管理者の個人情報（パーソナル情報）である性別、年齢、身長、体重、病歴などの項目を全て含む場合について説明したが、これに限らず例えば、被管理者の個人情報である性別、年齢、身長、体重、病歴などの項目の内の一部の項目を含む構成でも良いし、或いは、被管理者の性別、年齢、体重を含む構成であっても良い。
【０１０４】
また、上記実施の形態では、ステップＳ２０５におけるプログラムメニューの選択において、食事記録アイコン６１１ａを選択した場合について説明したが、これに限らず例えば、運動記録アイコン６１１ｂを選択することにより、携帯端末装置５００Ａに内蔵されたＧＰＳ機能を利用して、歩行距離、歩行時間、消費カロリー等のデータがサーバー装置２００を介してデータベース３００の個人データ３１０として、日時情報と共に記録される。この様にデータベース３００に蓄積された運動による消費カロリーのデータの推移や、上述したステップＳ２２７でデータベース３００に記録されている一日分の摂取カロリーのデータの推移は、随時、携帯端末装置５００Ａ上で見ることが出来る構成としても良い。これにより、運動が適度に行われているか否かを容易に自己管理できる。
【０１０５】
また、上記実施の形態では、各種の選択画面が表示された後、携帯端末装置５００Ａのタッチパネル５１０上の所望のアイコンをタッチして入力する構成について説明したが、これに限らず例えば、各種の選択画面が表示された後、携帯端末装置５００Ａの音声入力機能を利用して入力する構成としても良い。
【０１０６】
また、上記実施の形態では、図９（ｂ）に示す様に、折れ線グラフの栄養バランス（一日）画面６４０において、中央に、ユーザーＡに最適な「栄養成分の１日当たりの基準摂取量」を円６４１で示し、朝食時と昼食時と夕食時において摂取した各種栄養成分を全て合算した結果としての、その日に摂取した各種栄養成分が、円６４１で示された基準値と比較して適正レベルであるか否かを表示した例について説明したが、これに限らず例えば、図１１に示す様に、各種栄養成分を横長の棒グラフ７１０で表すと共に、ユーザーＡに最適な「栄養成分の１日当たりの基準摂取量」を目標量として縦長直線７２０で示し、朝食時と昼食時と夕食時において摂取した各種栄養成分を全て合算した結果としての、その日に摂取した各種栄養成分が、縦長直線７２０で示された目標量と比較して適正レベルであるか否かを表示する構成であっても良い。ここで、図１１は、ユーザーＡの２０１５年１月１日の夕食時における、その日の一日分の各種栄養成分と摂取エネルギーを棒グラフ７１０で示す栄養バランス（一日）画面７００が、携帯端末装置５００Ａのタッチパネル５１０に表示された状態を示す図である。図１１の構成例では、摂取エネルギーや各種栄養成分毎に「適正」、「過剰」、「不足」の文字７３０が棒グラフ７１０の右側に表示されており、これを見たユーザーＡは、エネルギー、脂質、炭水化物、及び食塩相当量の摂取量が何れも「過剰」であることや、糖質量や食物繊維が「不足」していることをより一層明確に把握できるので、次の日以降の食事における自己管理に大きな動機付けとなる。
【０１０７】
また、上記実施の形態では、栄養バランスを表示する各種画面（図８（ａ）の符号６３４、図８（ｂ）の符号６３６、図９（ａ）の符号６３８参照）において、「塩分を多く含んだ食品を過剰摂取しています。」等の警告文を表示する構成について説明したが、これに限らず例えば、図１１に示す様に、警告文に代えて、キャラクターが１ｇのソルトスプーンを何杯分摂取（図１１では、９杯分摂取）していることをイラストで表示したり、さらにはキャラクターの顔の表情を強調したり異ならせたりすることにより、一目で注意喚起が行える構成としても良い。
【０１０８】
尚、図１２乃至図４７は、本実施の形態の健康管理システムの他の例であって、携帯端末装置等のタッチパネル上の表示例を示す図である。
【産業上の利用可能性】
【０１０９】
本発明の健康管理システム、健康管理方法、プログラム、及び記録媒体によれば、被管理者が摂取した栄養成分の量が基準値を超えているかどうかを具体的に知ることが出来るという効果を発揮し、例えば、インターネットを利用した健康管理システム、健康管理方法、プログラム、及び記録媒体として有用である。
【符号の説明】
【０１１０】
１０    健康管理システム
１００  インターネット
２００  サーバー装置
２１０  中央処理部
２２０  メモリ部
２３０  通信部
２４０  画像生成部
２５０  バス
３００  データベース
３１０  個人データ
３２０  画像データ
３３０  算出基礎データ
３４０  判定基準データ
４００  アクセスポイント
５００Ａ、５００Ｂ  携帯端末装置
５１０  タッチパネル
【図１】
2016173658.tif 000003
【図２】
2016173658.tif 000004
【図３】
2016173658.tif 000005
【図４】
2016173658.tif 000006
【図５】
2016173658.tif 000007
【図６】
2016173658.tif 000008
【図７】
2016173658.tif 000009
【図８】
2016173658.tif 000010
【図９】
2016173658.tif 000011
【図１０】
2016173658.tif 000012
【図１１】
2016173658.tif 000013
【図１２】
2016173658.tif 000014
【図１３】
2016173658.tif 000015
【図１４】
2016173658.tif 000016
【図１５】
2016173658.tif 000017
【図１６】
2016173658.tif 000018
【図１７】
2016173658.tif 000019
【図１８】
2016173658.tif 000020
【図１９】
2016173658.tif 000021
【図２０】
2016173658.tif 000022
【図２１】
2016173658.tif 000023
【図２２】
2016173658.tif 000024
【図２３】
2016173658.tif 000025
【図２４】
2016173658.tif 000026
【図２５】
2016173658.tif 000027
【図２６】
2016173658.tif 000028
【図２７】
2016173658.tif 000029
【図２８】
2016173658.tif 000030
【図２９】
2016173658.tif 000031
【図３０】
2016173658.tif 000032
【図３１】
2016173658.tif 000033
【図３２】
2016173658.tif 000034
【図３３】
2016173658.tif 000035
【図３４】
2016173658.tif 000036
【図３５】
2016173658.tif 000037
【図３６】
2016173658.tif 000038
【図３７】
2016173658.tif 000039
【図３８】
2016173658.tif 000040
【図３９】
2016173658.tif 000041
【図４０】
2016173658.tif 000042
【図４１】
2016173658.tif 000043
【図４２】
2016173658.tif 000044
【図４３】
2016173658.tif 000045
【図４４】
2016173658.tif 000046
【図４５】
2016173658.tif 000047
【図４６】
2016173658.tif 000048
【図４７】
2016173658.tif 000049